(57)【要約】【課題】  下階外壁と上階外壁との間にバルコニーが配設された建物にあっても、下階外壁の換気用通路の空気をスムーズに屋外に排出できて下階外壁の換気用通路の換気効率を向上できる建物外壁の換気構造を提供する。【解決手段】  バルコニー腰壁１の内部に上下に亙る通気路２を形成する。通気路２の下部に形成した取入口３と下階外壁５に上下に亙って設けた換気用通路７ａとを連通する。下階外壁５の換気用通路７ａの空気を屋外へ排出するための排気口４をバルコニー腰壁１の通気路２の上部に設ける。【選択図】        図１
2006312844.tif 000002
【特許請求の範囲】
【請求項１】
バルコニー腰壁の内部に上下に亙る通気路を形成し、通気路の下部に形成した取入口と下階外壁に上下に亙って設けた換気用通路とを連通し、下階外壁の換気用通路の空気を屋外へ排出するための排気口をバルコニー腰壁の通気路の上部に設けたことを特徴とする建物外壁の換気構造。
【請求項２】
下階外壁の上方にバルコニー腰壁を配置し、下階外壁の換気用通路とバルコニー腰壁の通気路とを略直線状に連通させたことを特徴とする請求項１記載の建物外壁の換気構造。
【請求項３】
下階の部屋の上方にバルコニーを配設し、部屋用断熱材を配設した天井裏空間をバルコニーの下方空間に有した建物であって、上記バルコニーの下方空間に、下階外壁の換気用通路とバルコニー腰壁の通気路とを直線状に連通する通気空間を設けると共に、この通気空間と天井裏空間とを仕切る仕切り材を設けたことを特徴とする請求項２記載の建物外壁の換気構造。
【発明の詳細な説明】
【技術分野】
【０００１】
本発明は、建物外壁の換気構造に関するものである。
【背景技術】
【０００２】
従来から、建物外壁には、防風シートを外面に被着した壁用断熱材を内装材と外装材との間に配設すると共に、防風シートと外装材との間に外壁の上下に亙る換気用通路を形成し、この換気用通路で換気をすることで壁内での結露発生を防止して壁用断熱材の断熱性能の低下の防止を図ったものがある。そして通常は、下階外壁の換気用通路と上階外壁の換気用通路とを連通させ、下階外壁の換気用通路の空気を上階外壁の換気用通路に至らしめて上階外壁の換気用通路の上端に設けた出口から屋外へ排出するといったように、建物の外壁全体に上下に亙る換気用通路を形成することが行われている（たとえば特許文献１参照）。
【０００３】
このような建物外壁に上下に亙る換気用通路を形成した建物にあって、下階外壁の真上に上階外壁が位置し、下階外壁の換気用通路と上階外壁の換気用通路とが直線的に連通された場合には、下階外壁の換気用通路の空気を最短距離で比較的スムーズに上階外壁の換気用通路に至らしめることができるから、下階外壁の換気用通路の空気を上階外壁の換気用通路を介して屋外へ換気効率良く排出することができる。
【０００４】
しかしながら、建物の下階の屋根の一部にバルコニーが配設されたりして下階外壁の真上に上階外壁が位置しない建物の場合には、下階外壁の換気用通路の空気は屋根裏空間やバルコニーの下方空間を経て上階外壁の換気用通路に至るのであり、このとき下階外壁の換気用通路の空気は屋根裏空間やバルコニーの下方空間で滞留してしまう恐れがあって、下階外壁の換気用通路に良好な換気効率が得られないといった問題があった。
【０００５】
また、下階外壁の真上に上階外壁が位置しているも下階外壁と上階外壁との間から屋外側へバルコニーが突出するように配設された場合には、下階外壁の換気用通路の空気は一旦バルコニーの下方空間に入った後に上階外壁の換気用通路に至るのであり、ここで、バルコニーの下方空間には空気の流通を妨げるバルコニー骨組の梁材等が存在しているので、下階外壁の換気用通路の空気はバルコニーの下方空間にて滞留してしまう恐れがあり、下階外壁の換気用通路の良好な換気効率は得られないのであった。
【０００６】
しかも、建物の下階の部屋の上方にバルコニーが配設された建物の場合（つまりバルコニーの下方空間として部屋の天井裏空間がこれを構成した場合）には、通常、天井裏空間には部屋の断熱性を高めるために部屋用断熱材が防風シートが被着されない状態で置かれるように敷設施工されているから、天井裏空間に滞留した湿気を含んだ下階外壁の換気用通路の空気によって部屋用断熱材に湿気が含まれるようになり、部屋用断熱材の断熱性能を低下させてしまうといった恐れもあった。
【特許文献１】特開昭６２−２７３３４５号公報
【発明の開示】
【発明が解決しようとする課題】
【０００７】
本発明は上記の従来の問題点に鑑みて為したものであって、下階外壁と上階外壁との間にバルコニーが配設された建物にあっても、下階外壁の換気用通路の空気をスムーズに屋外に排出できて下階外壁の換気用通路の換気効率を向上できる建物外壁の換気構造を提供することを課題とするものである。
【課題を解決するための手段】
【０００８】
上記課題を解決するために本発明の請求項１に係る建物外壁の換気構造は、バルコニー腰壁１の内部に上下に亙る通気路２を形成し、通気路２の下部に形成した取入口３と下階外壁５に上下に亙って設けた換気用通路７ａとを連通し、下階外壁５の換気用通路７ａの空気を屋外へ排出するための排気口４をバルコニー腰壁１の通気路２の上部に設けたことを特徴とする。これによると、下階外壁５の換気用通路７ａの空気をバルコニー腰壁１の通気路２を介して屋外へスムーズに排出することができる。つまり、下階外壁５と上階外壁６との間にバルコニーＡが配設されて下階外壁５の換気用通路７ａの空気が一旦バルコニーＡの下方空間８に入り込むような建物であってもバルコニー腰壁１の通気路２を介して屋外へ排出することができるのであり、バルコニーＡの下方空間８での滞留を抑制して屋外へスムーズに排出することができるのであり、つまり、下階外壁５の換気用通路７ａの換気効率を向上できる。このように、一般に建物に設けられるバルコニーＡのバルコニー腰壁１の通気路２によって下階外壁５の換気用通路７ａの換気効率を向上できたので、下階外壁５の換気用通路７ａの換気効率の向上のために下階外壁５の真上に上階外壁６を配置するといった制約を無くすることができ、つまり外壁内の換気が建物の下階と上階との平面プランに何ら影響を与えることなくできるのである。
【０００９】
また、請求項２に係る建物外壁の換気構造は、請求項１において、下階外壁５の上方にバルコニー腰壁１を配置し、下階外壁５の換気用通路７ａとバルコニー腰壁１の通気路２とを略直線状に連通させたことを特徴とする。これによると、下階外壁５の換気用通路７ａの出口２０とバルコニー腰壁１の通気路２の取入口３とを上下に対向配置でき、下階外壁５の換気用通路７ａの空気をそのまま上昇させてスムーズにバルコニー腰壁１の通気路２に至らしめて通気路２の排気口４から屋外へ排出することができるのであり、下階外壁５の換気用通路７ａの換気効率の更なる向上を図ることができる。
【００１０】
また、請求項３に係る建物外壁の換気構造は、請求項２において、下階の部屋Ｒの上方にバルコニーＡを配設し、部屋用断熱材９を配設した天井裏空間８ｂをバルコニーＡの下方空間８に有した建物であって、上記バルコニーＡの下方空間８に、下階外壁５の換気用通路７ａとバルコニー腰壁１の通気路２とを直線状に連通する通気空間８ａを設けると共に、この通気空間８ａと天井裏空間８ｂとを仕切る仕切り材１０を設けたことを特徴とする。これによると、仕切り材１０によって、下階外壁５の換気用通路７ａの空気を、部屋用断熱材９が配設された下階の部屋Ｒの天井裏空間８ｂに入れることなく、通気空間８ａを経てバルコニー腰壁１の通気路２にスムーズに至らしめて通気路２の排気口４から屋外に排出することができるのであり、すなわち、湿気を多量に含んだ下階外壁５の換気用通路７ａの空気が、部屋Ｒの断熱性を高めるために天井裏空間８ｂに置かれるように敷設された部屋用断熱材９に湿気を含ませてしまうことを回避できるのであり、部屋用断熱材９の断熱性能の低下を回避することができる。
【発明の効果】
【００１１】
本発明は、一般に建物に配設されるバルコニーのバルコニー腰壁の通気路を介して下階外壁の換気用通路の空気を屋外へ排出可能にしたことで、下階外壁の換気用通路の換気効率を高めることができ、ひいては、下階外壁の換気用通路の換気効率の向上を図りつつも建物の平面プランの制約の幅を狭めることができるという利点を有し、また、下階外壁の上方にバルコニー腰壁を位置させて下階外壁の換気用通路とバルコニー腰壁の通気路とを略直線状に連通させると、下階外壁の換気用通路の空気をバルコニー腰壁の通気路にスムーズに至らせることが可能になって下階外壁の換気用通路の換気効率を更に向上できるという利点を有し、また、下階外壁の換気用通路の空気を、仕切り材によって通気空間にのみ流すようにして天井裏空間に流入させないようにすると、部屋の断熱性向上のため天井裏空間に敷設された部屋用断熱材が湿るのを防止できて断熱性能を維持できるという利点を有する。
【発明を実施するための最良の形態】
【００１２】
以下、本発明を添付図面に示す実施形態に基いて説明する。
【００１３】
図１乃至図３に本発明の実施の形態の例を示す。本例の建物は、図１のように、下階外壁５の真上に上階外壁６が配設され、下階外壁５と上階外壁６との間から屋外側へバルコニーＡが突出するように配設された住宅である。
【００１４】
下階外壁５及び上階外壁６は外壁パネル１１にて構成される。この外壁パネル１１は、上枠材１２及び下枠材１３及び縦枠材を矩形状に組み上げてなるパネル枠に板状の内装材１４と板状の外装材１５とが固定されると共に、内装材１４と外装材１５と間に屋外側に防風シート１６を被着した壁用断熱材１７が配設され、外装材１５は防風シート１６との間に外壁パネル１１の上下に亙る隙間状の換気用通路７を形成するようにパネル枠の屋外側に固定した複数本の縦桟材１８に屋外側から固定されている。なお、この換気用通路７は外壁パネル１１の下端にその入口１９が設けられ、外壁パネル１１の上端にその出口２０が設けられている。
【００１５】
そして、下階外壁５は、外壁パネル１１の下部を基礎２１の上に土台金物２２を介して載置し、外壁パネル１１の上部をバルコニーＡの屋内側に沿って配設された建物骨組の一部を構成する床梁５３に連結金物（図示せず）を介して取付けることで建込まれている。なお、図中２３は下階外壁５の下端に亙って装着された基礎見切材である。また、上階外壁６は、外壁パネル１１の下部を上記床梁５３に土台金物２２を介して載置し、図示はしないが建物骨組の一部を構成する上階の天井梁に連結金物（図示せず）を介して取付けることで建込まれている。バルコニーＡは、建物骨組から屋外側にバルコニー骨組２４を一体に突設し、バルコニー骨組２４の上面にバルコニー床材２５を載置し、バルコニー骨組２４の下面に軒天井材２６を取付け、バルコニーＡの外縁に亙ってバルコニー腰壁１を立設させたことで形成されている。すなわち、バルコニーＡの下方空間８はバルコニー床材２５と軒天井材２６とで囲まれた中空の軒裏空間８ｃとされており、下階外壁５の換気用通路７ａの出口２０及び上階外壁６の換気用通路７ｂの入口１９は軒裏空間８ｃに臨んでおり、つまり、下階外壁５の換気用通路７ａと上階外壁６の換気用通路７ｂとは軒裏空間８ｃを介して連通されている。
【００１６】
バルコニー腰壁１は、図３のように、バルコニー骨組２４の一部を構成するバルコニーＡの外縁に沿って配設されたバルコニー梁２７から間隔をあけて複数の支柱２８を立設すると共に各支柱２８の上端に渡すように横架材２９を架設してなる腰壁骨組３０に、腰壁パネル３１を取付けることで形成されている。腰壁パネル３１は、上枠材３２、下枠材３３及び縦枠材３４を矩形状に組み上げた木質の枠体を有し、この枠体の屋外側に表面板材３５を固定すると共に枠体の建物側に背面板材３６を固定することで形成されており、腰壁パネル３１の内部は枠体と表面板材３５と背面板材３６とで囲まれた中空部３７に形成されている。そして、バルコニー腰壁１は、バルコニーＡの外縁に配設されたバルコニー梁２７に敷設した木質の横桟材３８の上に腰壁パネル３１の下部を載置し、腰壁パネル３１の上部を横架材２９に取付けることで、バルコニーＡの外縁に亙って立設されている。また、図中３９は笠木、４０は手摺りである。上枠材３２の上面には防水用シート４１が被着されると共にこの防水用シート４１を介して取付用金具４２が載置固定され、この取付用金具４２にバルコニーＡの外縁に沿う笠木３９や手摺り４０が取付けられている。ここで、笠木３９は腰壁パネル３１の上部との間に屋外に開放された隙間Ｓを介して配設されている。
【００１７】
また、このバルコニー腰壁１には上下に亙る通気路２が形成されている。この通気路２は、バルコニー腰壁１の下部に設けた取入口３から、バルコニー腰壁１の内部の中空部３７を経て、バルコニー腰壁１の上部に設けた排気口４により屋外へ至る空気経路である。詳しくは、取入口３は腰壁パネル３１の下枠材３３に穿孔した貫通孔４３がこれを構成しており、取入口３にて腰壁パネル３１の中空部３７と軒裏空間８ｃとが連通されている。排気口４は笠木３９と腰壁パネル３１の上部との隙間Ｓにおける屋外への開放部分がこれを構成している。腰壁パネル３１の中空部３７と上記隙間Ｓとは、図２（ｂ）のように、横架材２９のウェブ部に穿設した貫通孔４４、横架材２９の上方位置の上枠材３２に埋設した貫通管４５を介して連通されている。ここで、貫通管４５の上部は上枠材３２の上面よりも突出しており、これにより、雨水が屋外から隙間Ｓに侵入して上枠材３２の上面の防水用シート４１上に至ったとしても、貫通管４５を介しての腰壁パネル３１内への侵入は防止されている。
【００１８】
このように本例の建物では、下階外壁５の換気用通路７ａが、軒裏空間８ｃを介して、上階外壁６の換気用通路７ｂとバルコニー腰壁１の通気路２とに連通されている。しかして、軒裏空間８ｃに一旦入った下階外壁５の換気用通路７ａの空気は、矢印Ｃのように、上階外壁６の換気用通路７ｂのみならず、バルコニー腰壁１の通気路２にも至るようにされ、上階外壁６の換気用通路７ｂの出口２０や通気路２の排気口４から屋外へ排出されるようになっている。すなわち、本例では、バルコニーＡの下方空間８において、従来上階外壁６の換気用通路７ｂのみであった空気の排出経路を、バルコニー腰壁１の通気路２を設けた分増やすことができたものである。しかして、バルコニーＡの下方空間８の換気効率が高められ、その結果、下階外壁５の換気用通路７ａの換気効率の向上が図られているのである。
【００１９】
以下、本発明の実施の形態の他例を列挙する。これらの例の説明では、先例と同構造の部位には同符合を付して説明を省き、異なる部位を中心に説明していく。
【００２０】
図４の例は、下階の屋根にバルコニーＡを設けた住宅であり、詳しくは、下階の部屋Ｒの上方にバルコニーＡが配設されている。このバルコニーＡにあってバルコニー骨組２４の上面に敷設したバルコニー床材２５は下階の屋根を兼ねており、またバルコニー骨組２４の下面には部屋Ｒの天井材４６が取付けられており、しかして、バルコニーＡの下方空間８は屋根裏空間を兼ねた下階の部屋Ｒの天井裏空間８ｂとされている。基礎２１上に立設した下階外壁５はバルコニーＡの外縁に配設したバルコニー梁２７の下部に取付けられており、このバルコニー梁２７の上部にはバルコニー腰壁１が立設されている。つまり、下階外壁５の略真上にバルコニー腰壁１が配置されており、バルコニー腰壁１の通気路２の取入口３と下階外壁５の換気用通路７ａの出口２０とは天井裏空間８ｂを挟んで上下で対向する位置関係を有している。また、上階外壁６はバルコニーＡの屋内側に沿う床梁５３に載置されて建て込まれており、しかして上階外壁６は下階外壁５より建物側に引き込んだ位置に位置されている。
【００２１】
上記構成を有する図４の建物では、下階外壁５の換気用通路７ａの空気の大部分は、矢印Ｄのように、下階外壁５の換気用通路７ａの出口２０からそのまま上昇することでバルコニー腰壁１の通気路２にスムーズに至り、通気路２の排気口４から屋外へ排出されるようになっており、また、下階外壁５の換気用通路７ａの空気の一部は、矢印Ｅのように、換気用通路７ａの出口２０から天井裏空間８ｂを介して上階外壁６の換気用通路７ｂに至り、上階外壁６の換気用通路７ｂの出口２０から屋外へ排出されるようになっている。なお、バルコニー梁２７には軽量化や配線を図るためにウェブ部に開口２７ａが形成されたりラチス形状の梁材にて構成されたりするのであり、下階外壁５の換気用通路７ａの空気の一部はバルコニー梁２７の上記開口２７ａ等を通過して上階外壁６の換気用通路７ｂに至るようになっている。このように、下階外壁５の真上に上階外壁６が位置しないような建物にあっても、下階外壁５の換気用通路７の空気は天井裏空間８ｂを介してバルコニー腰壁１の通気路２や上階外壁６の換気用通路７ｂから屋外へ排出されるのであり、つまり従来上階外壁６の換気用通路７ｂのみであった空気の排出経路をバルコニー腰壁１の通気路２を設けた分増やすことができたものであり、下階外壁５の換気用通路７ａの換気効率の向上が図られているのである。なお、下階外壁５の換気用通路７ａと上階外壁６の換気用通路７ｂとを連通させるバルコニーＡの下方空間８（天井裏空間８ｂ）にあっても、本例ではバルコニー腰壁１の通気路２が連通されていて、空気の排出経路が従来のように上階外壁６の換気用通路７ｂのみではないため、天井裏空間８ｂの換気効率が向上しており、下階外壁５の換気用通路７ａの空気が天井裏空間８ｂに滞留することも抑制されているから、下階外壁５の換気用通路７ａの換気に支障となるものではない。更に言うと、本例では、下階外壁５の換気用通路７ａの空気は、その大部分が下階外壁５の真上に位置したバルコニー腰壁１の通気路２から屋外へスムーズに排出されるのであり、この点でも下階外壁５の換気用通路７ａの換気効率の向上が図られているのである。
【００２２】
図５の例は、図４の変形例である。部屋Ｒの断熱を図るため、天井裏空間８ｂには天井材４６上に単に置くようにして部屋用断熱材９が敷設されるのであるが、この部屋用断熱材９の断熱性能の低下を防止するようにした例である。つまり、バルコニーＡの下方空間８には部屋用断熱材９が敷設された天井裏空間８ｂと仕切られた通気空間８ａが形成されており、下階外壁５の換気用通路７ａの空気は全て、矢印Ｆのように、通気空間８ａを介してバルコニー腰壁１の通気路２に至り、通気路２の排気口４から屋外へ排出されるようにしている。通気空間８ａは、下階外壁５の換気用通路７ａの出口２０に一端が連通すると共にバルコニー腰壁１の通気路２の取入口３に他端が連通するような空間である。本例では上記開口２７ａを設けないバルコニー梁２７にて仕切り材１０が構成され、幕板４７と仕切り材１０との間の空間を天井裏空間８ｂと仕切られた通気空間８ａにしている。なお、仕切り材１０としてはこれに限らず、天井裏空間８ｂと通気空間８ａとを仕切るようなシート状のものや、下階外壁５の換気用通路７ａの出口２０とバルコニー腰壁１の通気路２の取入口３とを直接接続する管状のものを用いてもよい。本例ではこのように下階外壁５の換気用通路７ａの空気が、バルコニー腰壁１の通気路２に至るまでに天井裏空間８ｂに入ってしまうことが完全に防止されており、天井裏空間８ｂに配設した部屋用断熱材９の断熱性能の低下が回避されているのである。
【００２３】
また、図６及び図７の例は、先例の建物と同様、下階の屋根の一部にバルコニーＡを設けた住宅であるが、図６のように、下階に建物側には入り玄関４８が引き込むように設けられ、上階に少なくとも入り玄関４８の上方を覆うようにバルコニーＡが配設されている。詳しくは、本例の入り玄関４８は、下階外壁における建物の外面壁４９から側面壁５０を建物側に引き込むように形成し、この側面壁５０の建物側端部から正面壁５１を延設してこの正面壁５１に玄関扉５２を配設したことで形成されている。図７で断面となった下階外壁５は入り玄関４８の正面壁５１であり、この下階外壁５の上部はバルコニーＡの建物側に沿って配設した建物骨組の床梁５３の下部に取付けられている。また、上階外壁６は上記床梁５３の上部に立設されている。また図７で奥方に外装面が現れた下階外壁５は入り玄関４８の側面壁５０であり、この下階外壁５の上部はバルコニーＡの屋外側に沿って配設されたバルコニー梁２７と建物骨組の床梁５３との間に架設されたバルコニー骨組２４の梁材（図示せず）に取付けられている。しかして、バルコニーＡの下方空間８にあっては、入り玄関４８の上方部位では軒裏空間８ｃとなっており、それ以外の部位では天井裏空間８ｂとなっている。
【００２４】
ここで、入り玄関４８の側面壁５０を構成する下階外壁５の換気用通路７ａの空気は、バルコニーＡの下方空間８を介して、この下階外壁５の換気用通路７ａの出口２０との距離が近い方のバルコニー腰壁１の通気路２または上階外壁６の換気用通路７ｂのいずれかに至るのであり、バルコニー腰壁１の通気路２の排気口４または上階外壁６の換気用通路７ｂの出口２０から屋外へ排出されるようになっている。詳しくは、入り玄関４８の側面壁５０を構成する下階外壁５の換気用通路７ａにあってバルコニーＡの屋外側部位に近い位置の空気（図中Ｉの部分）は、矢印Ｇのように、バルコニーＡの下方空間８を介してバルコニー腰壁１の通気路２に比較的スムーズに至ることができて、バルコニー腰壁１の通気路２の排気口４から屋外へ排出されるようになっており、また、入り玄関４８の側面壁５０を構成する下階外壁５の換気用通路７ａにあってバルコニーＡの建物側部位に近い位置の空気（図中Ｊの部分）は、矢印Ｈのように、バルコニーＡの下方空間８を介して上階外壁６の換気用通路７ｂに比較的スムーズに至ることができて、上階外壁６の換気用通路７ｂの出口２０から屋外へ排出されるようになっている。なお、入り玄関４８の正面壁５１としての下階外壁５の換気用通路７ａの空気は、図１の例同様矢印Ｃのように、略真上の上階外壁６の換気用通路７ｂまたはバルコニー腰壁１の通気路２にバルコニーＡの下方空間８を介してスムーズに至り、屋外へ排出されるようになっている。このように、下階に配設した入り玄関４８の上方にバルコニーＡが配設された建物において、バルコニーＡの屋内外方向に亙って立設された下階外壁５にあっても、この下階外壁５の換気用通路７ａは、バルコニー腰壁１の通気路２及び上階外壁６の換気用通路７ｂから、スムーズに屋外へ排出されるようになっており、下階外壁５の換気用通路７ａの換気効率の向上が図られているのである。
【００２５】
上述した本発明の実施の形態の各例にあっては、一般に建物に配設されるバルコニーＡのバルコニー腰壁１に形成した通気路２を下階外壁５の換気用通路７ａに連通させ、下階外壁５の換気用通路７ａの空気を上階外壁６の換気用通路７ｂのみならずバルコニー腰壁１からも屋外へ排出することができたもので、つまり従来上階外壁６の換気用通路７ｂのみであったバルコニーＡの下方空間８における下階外壁５の換気用通路７ａの空気の排気経路をバルコニー腰壁１の通気路２を設けたことで増やすことができたものであるから、バルコニーＡの下方空間８の換気効率が高まり、結果、下階外壁５の換気用通路７ａの換気効率の向上が図られているのである。しかも、上記バルコニー腰壁１に形成した通気路２を下階外壁５の換気用通路７ａに連通させて下階外壁５の換気用通路７ａの換気効率の向上を図ることは、空気の流通に阻害となるバルコニー骨組２４があったりして元来空気が滞留し易いバルコニーＡの下方空間８における換気効率を高めることで為されており、下階外壁５の換気用通路７ａの空気がバルコニーＡの下方空間８で滞留してしまう恐れを低減できたものである。したがって、バルコニーＡの下方空間８が部屋用断熱材９が配置される天井裏空間８ｂである場合にも下階外壁５の換気用通路７ａの空気によって部屋用断熱材９が湿る恐れを低減できたものである。このように住宅のような建物に一般的に設けられるバルコニーＡのバルコニー腰壁１を用いて下階外壁５の換気用通路７ａの換気効率を向上できたことから、下階外壁５の換気用通路７ａの換気効率の向上を図るのに従来のように下階外壁５の真上に上階外壁６を配置するといった制約に縛られることなく建物の平面プランを作成することができるのであり、つまり制約条件を一つ減らした上で平面プランを作成することができて自由な発想の平面プランの作成に資することができるのである。
【図面の簡単な説明】
【００２６】
【図１】本発明の実施の形態の例の側断面図である。
【図２】同上のバルコニー腰壁の上部部分であり、（ａ）は側断面図であり、（ｂ）は要部の概略側断面図である。
【図３】同上のバルコニーの分解斜視図である。
【図４】本発明の実施の形態の他例の側断面図である。
【図５】本発明の実施の形態の更に他例の側断面図である。
【図６】本発明の実施の形態の更に他例の建物であり、（ａ）は建物の一部の斜視図であり、（ｂ）は建物の概略間取り図である。
【図７】図６（ｂ）のＢ−Ｂ線断面図である。
【符号の説明】
【００２７】
１  バルコニー腰壁
２  通気路
３  取入口
４  排気口
５  下階外壁
６  上階外壁
７  換気用通路
７ａ  下階外壁の換気用通路
７ｂ  上階外壁の換気用通路
８  バルコニーの下方空間
８ａ  通気空間
８ｂ  天井裏空間
９  部屋用断熱材
１０  仕切り材
Ａ  バルコニー
【図１】
2006312844.tif 000003
【図２】
2006312844.tif 000004
【図３】
2006312844.tif 000005
【図４】
2006312844.tif 000006
【図５】
2006312844.tif 000007
【図６】
2006312844.tif 000008
【図７】
2006312844.tif 000009